(57)【要約】【課題】  カメラ使用者が、撮影時に快適な操作ができるよう、切替レバーを最適な場所に配置したレンズ鏡筒を提供すること。【解決手段】  光路内に変倍レンズを挿入または退避させるための、回動する切替部材を有し、光軸と直交する平面内において、光軸を通る水平線分と鉛直線分とにより４つの象限に区分するとき、前記切替部材の回転軸が、正位置状態で撮像面から見て左上の象限に、且つ、正位置状態での位置と正位置状態から反時計回り90°回転時の位置は、光軸と直交する平面内の光軸を通る水平線分に対して略対称となる角度に配置され、前記切替部材の回動時の両端が、正位置状態から反時計回り90°回転時に、撮像面から見て三脚座と重ならない角度に配置されていることを特徴とする構成とした。【選択図】  図７
2012145866.tif 000002
【特許請求の範囲】
【請求項１】
光路内に変倍レンズを挿入または退避させるための、回動する切替部材を有し、
光軸と直交する平面内において、光軸を通る水平線分と鉛直線分とにより４つの象限に区分するとき、
前記切替部材の回転軸が、正位置状態で撮像面から見て左上の象限に、
且つ、正位置状態での位置と正位置状態から反時計回り９０°回転時の位置は、
光軸と直交する平面内の光軸を通る水平線分に対して対称となる角度に配置され、
前記切替部材の回動時の両端が、正位置状態から反時計回り９０°回転時に、
撮像面から見て三脚座と重ならない角度に配置されていることを特徴とするレンズ鏡筒。
【発明の詳細な説明】
【技術分野】
【０００１】
本発明は、デジタルスチルカメラの撮影装置に用いられるレンズ鏡筒に関し、特に撮影光軸に対する変倍レンズの進出移動又は退避移動を操作する切替レバーに関するものである。
【背景技術】
【０００２】
ＥＮＧカメラ等のテレビカメラに使用されるレンズ装置においては、一般にエクステンダ装置が内蔵されたズームレンズ装置が使用されている。エクステンダ装置は、撮影レンズ系に変倍レンズを進出又は退避させることにより撮影倍率を可変するものである。その操作は電動によるリモコン式、又はエクステンダ装置のケーシングに設けられた切替レバーをカメラマンが回動操作することによって行われている。この切替レバーは、複数のギアからなる動力伝達機構を介して変倍レンズの駆動ギアに連結されるとともに、一般に約９０°の回動範囲をもって構成されている。その９０°の回動範囲において、切替レバー端側に回動されることにより、前記動力伝達機構を介して変倍レンズが進出位置に位置される。また、切替レバーが他方端側に回動されることにより、前記動力伝達機構を介して変倍レンズが退避位置に位置される。一般に切替レバーはエクステンダ装置のケーシングの背面側に取り付けられている。
【０００３】
特許文献１に開示された従来技術は、テレビカメラに使用されるレンズ装置である。保持方法は撮影者の肩に乗せて保持する方式であり、また、撮影は動画撮影のみで、通常動画撮影は正位置状態だけでの撮影である。
【先行技術文献】
【特許文献】
【０００４】
【特許文献１】特開２００５−３５１９２６号公報
【発明の概要】
【発明が解決しようとする課題】
【０００５】
しかし、デジタルスチルカメラにおいては、保持方法は三脚又は一脚であり、それらに取り付ける為の三脚座が交換レンズに取り付いていて、交換レンズの前玉側を撮影者の左手で保持している。また、撮影は静止画撮影と動画撮影があり、静止画撮影の場合には、正位置状態だけではなく、縦位置状態での撮影も含まれる。この為、切替レバーの配置場所によっては、縦位置撮影時において切替レバーが三脚座の後ろに隠れてしまい、前玉側を保持している撮影者の左手での操作に支障が出る場合がある。
【０００６】
そこで、本発明の目的は、正位置、縦位置どちらの撮影状態でも操作性の良い位置に切替レバーを配置したレンズ鏡筒を提供することにある。
【課題を解決するための手段】
【０００７】
本発明に係るレンズ鏡筒は、
光路内に変倍レンズを挿入または退避させるための、回動する切替部材を有し、
光軸と直交する平面内において、光軸を通る水平線分と鉛直線分とにより４つの象限に区分するとき、
前記切替部材の回転軸が、正位置状態で撮像面から見て左上の象限に、
且つ、正位置状態での位置と正位置状態から反時計回り９０°回転時の位置は、
光軸と直交する平面内の光軸を通る水平線分に対して略対称となる角度に配置され、
前記切替部材の回動時の両端が、正位置状態から反時計回り９０°回転時に、
撮像面から見て三脚座と重ならない角度に配置されていることを特徴とする構成とした。
【発明の効果】
【０００８】
本発明によれば、正位置、縦位置グリップ上どちらの撮影状態でも、操作性の良い位置に切替レバーを配置するので、撮影者は快適に撮影を行うことができる。
【図面の簡単な説明】
【０００９】
【図１】本発明における実施例の正位置状態での撮影斜視図
【図２】本発明における実施例の正位置状態での撮影側面図
【図３】本発明における実施例の縦位置グリップ上状態での撮影斜視図
【図４】本発明における実施例の縦位置グリップ上状態での撮影側面図
【図５】本発明における実施例の変倍レンズと光路内に変倍レンズを挿入または退避させるための回動する切替部材の概略構成図
【図６】本発明における実施例の撮像面から見た正位置状態で光路内への変倍レンズの挿入図と退避図
【図７】本発明における実施例の撮像面から見た縦位置グリップ上状態で光路内への変倍レンズの挿入図と退避図
【発明を実施するための形態】
【００１０】
以下に、本発明の好ましい実施の形態を、添付の図面に基づいて詳細に説明する。
【００１１】
［実施例１］
図１及び図２は、カメラ１００に不図示のマウントを介して取り付けられた本発明のレンズ鏡筒２００の、正位置撮影状態での斜視図と側面図を示している。撮影者３００は、右手３０１でカメラ１００のグリップ１０１を握って、右目でファインダー１０２を覗きながらシャッターボタン１０３を押して撮影する。
【００１２】
また、図３及び図４は、縦位置グリップ上撮影状態での斜視図と側面図を示している。撮影者３００は、右手３０１でカメラ１００のグリップ１０４を握って、右目でファインダー１０２を覗きながらシャッターボタン１０５を押して撮影する。
【００１３】
レンズ鏡筒２００は、図３、４のように被写体側を撮影者３００の左手３０２で支えられている。また、フォーカスリング２０１、ズームリング２０２等の操作リング、防振モードのオン・オフ切替スイッチ２０３やエクステンダ切替レバー２０４等の各種操作部材が撮影者３００の左手３０２で操作される。すなわち、フォーカスリング２０１を回動操作することにより不図示のフォーカスレンズが光軸に沿って前後移動され、被写体の焦点が調節される。また、ズームリング２０２を回動操作することにより不図示のズームレンズが光軸に沿って前後移動され、焦点距離が調節される。
【００１４】
三脚座２０５は、レンズ鏡筒を不図示の三脚、又は一脚に固定するためのものであり、光軸中心に回転可能であり、クランプ２０５ａを締めることにより固定される。なお、この三脚座４において、不図示の三脚又は一脚は、三脚座取付部２０５ｂに取り付けられる。
【００１５】
図５は変倍レンズ２０６と変倍レンズ２０６を保持する保持筒２０７、光路内に変倍レンズを挿入または退避させる回動切替レバー２０４の概略構成図である。保持筒２０７と切替レバー２０４は不図示のシャフトを介して一体となっており、切替レバー２０２を回動することで切替レバー２０２の軸２０２ａを回転中心として保持筒を回動することができる。これにより、変倍レンズ２０６を光路内に挿入または退避させることができる。ここで、挿入、退避の方向付けとしては、反時計回りに切替レバー２０４を回動することで変倍レンズを光路内に挿入し、時計回りに回動することで変倍レンズを光路外へ退避するように設定している。この理由としては、ズームリング２０２を反時計回りに回動することで、焦点距離が望遠方向に変化する構成となっており、ズームリング２０２の望遠方向と同じ回動方向で変倍レンズ２０６を挿入できるようにするためである。
【００１６】
図６は撮像面から見た正位置状態で光路内への変倍レンズの挿入図と退避図である。図６ａでは、切替レバー２０４は変倍レンズ２０６退避方向の端位置にいて、変倍レンズ２０６はレンズ退避部２０８に位置しており、光路外へ退避している状態である。この状態から切替レバー２０２を反時計回りに、変倍レンズ２０６挿入方向の端まで回動することで、図６ｂのように光路内に変倍レンズ２０６が光路内へ挿入される状態になる。
【００１７】
図７は、撮像面から見た縦位置グリップ上状態で光路内への変倍レンズの挿入図と退避図である。図６の正位置状態同様、図７ａでは、切替レバー２０４は変倍レンズ２０６退避方向の端位置にいて、変倍レンズ２０６はレンズ退避部２０８に位置しており、光路外へ退避している状態である。この状態から切替レバー２０２を反時計回りに、変倍レンズ２０６挿入方向の端まで回動することで、図７ｂのように光路内に変倍レンズ２０６が光路内へ挿入される状態になる。
【００１８】
ここで、光軸２２０と直交する平面内において、光軸２２０を通る水平線分と鉛直線分とにより４つの象限に区分するとき、切替レバー２０４の回転軸２０４ａが、正位置状態で撮像面から見て左上の象限に配置した。正位置状態で左上象限に配置することで、正位置状態から反時計回りに９０°回転した縦位置グリップ上状態でも左下象限に配置されることになり、左手３０２での操作に支障をきたさない。さらにこの回転軸２０４ａは、正位置状態での位置と縦位置グリップ上状態での位置が、 光軸と直交する平面内の光軸を通る水平線分に対して略対称となる角度に位置している。このため、正位置状態と縦位置グリップ上状態との切替レバー２０４の操作性を両立できる。
【００１９】
そして、切替レバー２０４の回動時の両端は、縦位置グリップ上状態時に撮像面から見て三脚座２０５と重ならない角度に配置されている。これにより、正位置、縦位置グリップ上どちらの撮影状態でも、三脚座の後ろにレバーが隠れることがなくなる。以上より、操作性の良い位置に切替レバー２０４が配置されている為、撮影者３００は、レンズ鏡筒２００の被写体側を左手３０２で支えながら快適に撮影を行うことができる。
【００２０】
以上、本発明の好ましい実施形態について説明したが、本発明はこれらの実施形態に限定されず、その要旨の範囲内で種々の変形及び変更が可能である。
【符号の説明】
【００２１】
１００：カメラ本体
１０１：グリップ
１０２：ファインダ
１０３：モニタ
１０４：シャッタボタン
１０５：グリップ
１０６：シャッタボタン
２００：交換レンズ
２０１：フォーカスリング
２０２：ズームリング
２０３：各種スイッチ
２０４：切替レバー
２０４ａ：切替レバー回転軸
２０５：三脚座
２０５ａ：ノブ
２０５ｂ：三脚取付部
２０６：変倍レンズ
２０７：変倍レンズ保持筒
２０８：変倍レンズ退避部
２２０：光軸
３００：撮影者
３０１：右手
３０２：左手
【図１】
2012145866.tif 000003
【図２】
2012145866.tif 000004
【図３】
2012145866.tif 000005
【図４】
2012145866.tif 000006
【図５】
2012145866.tif 000007
【図６】
2012145866.tif 000008
【図７】
2012145866.tif 000009